(57)【要約】【課題】複数のデータセットの対話型レビューを行うための方法および装置を提供する。【解決手段】少なくとも第１のデータセットおよび第２のデータセットが入力装置経由で読み出される。プロセッサーは、第１のデータセットから第１のデータセットの粗いビューおよび第１のデータセットのファインビューの代表値を生成し、第２のデータセットから第２のデータセットの粗いビューの代表値も生成する。ユーザーインターフェースジェネレーターは、第１のデータセットの粗いビュー、第２のデータセットの粗いビューおよび第１のデータセットのファインビューをグラフィカルユーザーインターフェースに含める。第２のデータセットを選択するリクエストを受信した時に、プロセッサーは、第２のデータセットから第２のデータセットのファインビューの代表値を生成する。その後、グラフィカルユーザーインターフェース内の第１のデータセットのファインビューが第２のデータセットのファインビューと置換される。【選択図】図１０
2015018542.tif 000002
【特許請求の範囲】
【請求項１】
２以上のデータセットの対話型レビューを行うための方法であって、
少なくとも第１のデータセットおよび第２のデータセットを読み出す（２０）ステップと、
前記第１のデータセットから前記第１のデータセットの粗いビュー（３）に対する代表値を生成する（２１）ステップと、
前記第２のデータセットから前記第２のデータセットの粗いビュー（８）に対する代表値を生成する（２２）ステップと、
前記第１のデータセットから前記第１のデータセットのファインビュー（４）に対する代表値を生成する（２３）ステップと、
前記第１のデータセットの前記粗いビュー（３）、前記第２のデータセットの前記粗いビュー（８）、および前記第１のデータセットの前記ファインビュー（４）をグラフィカルユーザーインターフェース（１）に含める（２４）ステップと、
前記第２のデータセットを選択するユーザーリクエストを受信し（２５）、そして前記第２のデータセットを選択する前記ユーザーリクエストの受信（２５）に応答するステップと、
前記第２のデータセットから、前記第２のデータセットのファインビュー（９）に対する代表値を生成する（２６）ステップと、
前記グラフィカルユーザーインターフェース（１）内の前記第１のデータセットの前記ファインビュー（４）を前記第２のデータセットの前記ファインビュー（９）と置換する（２７）ステップと、
を備える、前記方法。
【請求項２】
データセットの前記粗いビュー（３、８）の前記代表値は、前記粗いビュー（３、８）においていくつかの表示可能な値に従って前記データセットのデータ要素をクラスター化し、表示される値を各クラスターに対して決定することによって生成される（２１、２２）、請求項１に記載の方法。
【請求項３】
データセットの前記ファインビュー（４、９）の前記代表値は、前記データセットのサブセットを選択することによって生成され（２３、２６）、前記データセットの前記サブセットは、前記データセットの前記粗いビュー（３、８）の指定領域（６）に対応する、請求項１又は２に記載の方法。
【請求項４】
前記グラフィカルユーザーインターフェース（１）は、少なくとも前記第１のデータセットの前記粗いビュー（３）、前記第２のデータセットの前記粗いビュー（８）、および前記第１のデータセットまたは前記第２のデータセットの前記ファインビュー（４、９）が、ディスプレイ（２）上で可視となるように構築される、請求項１乃至３のいずれか１項に記載の方法。
【請求項５】
前記グラフィカルユーザーインターフェース（１）は、スクローリング領域（１１）およびディスプレイ（２）上の固定された領域を備え、および前記グラフィカルユーザーインターフェース（１）は、前記第１のデータセットまたは前記第２のデータセットの前記ファインビュー（４、９）が前記ディスプレイ（２）上の固定された前記領域内で可視となり、そして前記第１のデータセットの前記粗いビュー（３）および前記第２のデータセットの前記粗いビュー（８）が前記スクローリング領域（１１）内に配置されるように構築される、請求項１乃至３のいずれか１項に記載の方法。
【請求項６】
前記グラフィカルユーザーインターフェース（１）は、前記第１のデータセットの前記粗いビュー（３）および前記第２のデータセットの前記粗いビュー（８）が、前記第１のデータセットまたは前記第２のデータセットの前記ファインビュー（４、９）の下側の粗いビュー（３、８）のスタックとして配置されるように構築され、および選択する粗いビュー（３、８）をディスプレイ（２）上で表示するために前記グラフィカルユーザーインターフェース（１）がスクロールダウンされる、請求項１乃至３のいずれか１項に記載の方法。
【請求項７】
データセットの選択時に前記選択のデータセットの前記粗いビュー（３、８）は、前記粗いビュー（３、８）の最上スタックに配置される、請求項６に記載の方法。
【請求項８】
データセットの選択時に前記グラフィカルユーザーインターフェース（１）は、最上まで自動的にスクロールバックされる、請求項６又は７に記載の方法。
【請求項９】
データセットは、前記データセットの前記粗いビュー（３、８）上をマウスクリックまたはフィンガータッチすることによって、またはどの粗いビュー（３、８）がディスプレイ（２）上で唯一可視の粗いビュー（３、８）であるかを決定することによって選択される、請求項１乃至８のいずれか１項に記載の方法。
【請求項１０】
２以上のデータセットの対話型レビューを可能にするように構成された装置（３０）であって、
少なくとも第１のデータセットおよび第２のデータセットを読み出す（２０）ように構成された入力（３１）と、
前記第２のデータセットを選択するユーザーリクエストを受信する（２５）ように構成されたユーザー入力（３２）と、
前記第１のデータセットから前記第１のデータセットの粗いビュー（３）および前記第１のデータセットのファインビュー（４）に対する代表値を生成し（２１、２３）、そして前記第２のデータセットから前記第２のデータセットの粗いビュー（８）および前記第２のデータセットのファインビュー（９）に対する代表値を生成する（２２、２６）ように構成されたプロセッサー（３３）と、
前記第１のデータセットの前記粗いビュー（３）、前記第２のデータセットの前記粗いビュー（８）、および前記第１のデータセットの前記ファインビュー（４）をグラフィカルユーザーインターフェース（１）に含める（２４）ように構成されたユーザーインターフェースジェネレーター（３４）であって、前記第２のデータセットを選択するユーザーリクエストの受信（２５）に応答して、前記グラフィカルユーザーインターフェース（１）内の前記第１のデータセットの前記ファインビュー（４）と前記第２のデータセットの前記ファインビュー（９）を置換する（２７）ようにさらに構成された、前記ユーザーインターフェースジェネレーター（３４）と、
を備える、前記装置。
【請求項１１】
２以上のデータセットの対話型レビューを可能にする命令を記憶しているコンピュータ可読ストレージ媒体であって、その命令は、コンピュータによって実行されるときに、前記コンピュータに
少なくとも第１のデータセットおよび第２のデータセットを読み出させ（２０）、
前記第１のデータセットから前記第１のデータセットの粗いビュー（３）に対する代表値を生成させ（２１）、
前記第２のデータセットから前記第２のデータセットの粗いビュー（８）に対する代表値を生成させ（２２）、
前記第１のデータセットから前記第１のデータセットのファインビュー（４）に対する代表値を生成させ（２３）、
前記第１のデータセットの前記粗いビュー（３）、前記第２のデータセットの前記粗いビュー（８）、および前記第１のデータセットの前記ファインビュー（４）をグラフィカルユーザーインターフェース（１）に含めさせ、
前記第２のデータセットを選択するユーザーリクエストを受信させ（２５）、そして前記第２のデータセットを選択するユーザーリクエストの受信（２５）に応答させ、
前記第２のデータセットから前記第２のデータセットのファインビュー（９）に対する代表値を生成させ（２６）、
前記グラフィカルユーザーインターフェース（１）内の前記第１のデータセットの前記ファインビュー（４）と前記第２のデータセットの前記ファインビュー（９）を置換させる（２７）、コンピュータ可読ストレージ媒体。
【発明の詳細な説明】
【技術分野】
【０００１】
本発明は、複数のデータセットの対話型レビューを行うための方法および装置に関する。より詳細には、レビューワがグラフィカルユーザーインターフェースを使用して２以上の大規模データセットのデータにアクセスして分析することを可能にする方法および装置が説明される。
【背景技術】
【０００２】
デジタル動画は、デジタル画像シーケンスとも呼ばれ、メタデータ情報を伴うことが多い。好適には、メタデータ情報は、デジタル画像シーケンスの一つ一つのフレームに使用可能である。メタデータは、典型的には、カメラ自体によるか、あるいは、より頻繁には、リアルタイムまたは非リアルタイムの後処理アルゴリズムによるいずれかで生成される。メタデータは、複数の情報、例えば、ノイズレベル、画像コントラストまたは、より精巧なアルゴリズムの場合、それぞれのフレーム内で検出される多数の顔や車などを含む。しかしながら、通常１秒当たり２４フレームを有する９０分のデジタル映画では、単一のメタデータファイルは、１２９６００個のメタデータ要素を含む。専門的なポストプロダクション環境において、１映画当たり複数のデータセットまたは複数のデータセットを有する複数の映画を処理する人間のレビューワは、メタデータを検査して一定の品質基準にする必要がある。この情報の量が膨大なために、人間のレビューワは、メタデータを検査するのに必要な時間を最適化することに重大な関心を寄せている。
【０００３】
このような大量のデータを単一のプロット、例えば、グラフプロットやバープロットで表示する一般的な技術は、表示されるのに望ましい（例えば、１０００００メタデータ要素より多い）データ量を、表示ユニットの使用可能なピクセルまたはドットと一致させるために、典型的には、ダウンサンプリングを用いる。表示ユニットは、その用語の意味において、例えば、特にメタデータの表示に使用されるモニター、グラフィカルユーザーインターフェース（通常、ＧＵＩと呼ばれる）、例えば、そのために使用されるウィンドウである。使用可能な解像度は、モニター自身によって、即ち、それぞれのモニターのハードウェア解像度によってまたはメタデータの表示に使用されるＧＵＩウィンドウ内の多数のピクセルによって定義される。
【０００４】
これに関して特許文献１は、表示メディアの画像フレームのシーケンスに対応する大量のメタデータを有限分解能で表すためのソリューションを開示する。生成されたデータグラフが、表示メディアに適合することを保証するために、グラフのデータセットは、定義された長さのクラスターに分割される。各クラスターは、プロットの単一値を表し、個々に処理される。クラスターの処理は、アウトライナー（outliner）が維持されるようなやり方で実行される。これは、品質管理においてメタデータを素早く概観するのによく適している。しかしながら、この手法は、重要なデータサンプルがレビューワに可視であることを保証するが、そのような重要なデータサンプルにレビューワが対処できるようにさせる方法が論じられていない。
【０００５】
この問題を解決するために、欧州特許出願ＥＰ(未定)において、データセットから粗いビューのデータセットの代表値ならびにファイン(fine)ビューのデータセットの代表値を生成することを提案している。ファインビューは、データセットのサブセットのみを含む。粗いビューのデータセットとファインビューのデータセットの両方は、グラフィカルユーザーインターフェースで表示される。対話型の振る舞いは、粗いビューの所望の部分をクリックしてファインビューに更新することによって実現する。しかしながら、複数の大規模データセットのレビューに対処する方法に取り組んでいない。
【先行技術文献】
【特許文献】
【０００６】
【特許文献１】欧州特許出願公開第２４８５１９０号明細書
【発明の概要】
【０００７】
本発明の目的は、グラフィカルユーザーインターフェースを使用して複数の大規模データセットの対話型レビューに対するソリューションを提供することである。
【０００８】
発明の一態様に従って、２以上のデータセットの対話型レビューを行うための方法は、
−少なくとも第１のデータセットおよび第２のデータセットを読み出すステップと、
−第１のデータセットから第１のデータセットの粗いビューの代表値を生成するステップと、
−第２のデータセットから第２のデータセットの粗いビューの代表値を生成するステップと、
−第１のデータセットから第１のデータセットのファインビューの代表値を生成するステップと、
−第１のデータセットの粗いビュー、第２のデータセットの粗いビュー、および第１のデータセットのファインビューをグラフィカルユーザーインターフェースに含めるステップと、
−第２のデータセットを選択するユーザーリクエストの受信に応答するステップと、
−第２のデータセットから第２のデータセットのファインビューの代表値を生成するステップと、
−グラフィカルユーザーインターフェース内の第１のデータセットのファインビューと第２のデータセットのファインビューを置換するステップとを備える。
【０００９】
従って、２以上のデータセットの対話型レビューが可能になるように構成された装置は、
−少なくとも第１のデータセットおよび第２のデータセットを読み出すように構成された入力と、
−第２のデータセットを選択するユーザーリクエストを受信するように構成されたユーザー入力と、
−第１のデータセットから第１のデータセットの粗いビューおよび第１のデータセットのファインビューの代表値を生成し、そして第２のデータセットから第２のデータセットの粗いビューおよび第２のデータセットのファインビューの代表値を生成するように構成されたプロセッサーと、
−第１のデータセットの粗いビュー、第２のデータセットの粗いビュー、および第１のデータセットのファインビューをグラフィカルユーザーインターフェースに含めるように構成されたユーザーインターフェースジェネレーターであって、ユーザーインターフェースジェネレーターは、第２のデータセットを選択するユーザーリクエストの受信に応答して、グラフィカルユーザーインターフェース内の第１のデータセットのファインビューと第２のデータセットのファインビューを置換するようにさらに構成されることを備える。
【００１０】
同様に、コンピュータ可読ストレージ媒体は、２以上のデータセットの対話型レビューを可能にする命令を記憶していて、その命令は、コンピュータによって実行されると、コンピュータに
−少なくとも第１のデータセットおよび第２のデータセットを読み出し、
−第１のデータセットから第１のデータセットの粗いビューの代表値を生成し、
−第２のデータセットから第２のデータセットの粗いビューの代表値を生成し、
−第１のデータセットから第１のデータセットのファインビューの代表値を生成し、
−第１のデータセットの粗いビュー、第２のデータセットの粗いビュー、および第１のデータセットのファインビューをグラフィカルユーザーインターフェースに含め、
−第２のデータセットを選択するユーザーリクエストの受信に応答し、
−第２のデータセットから第２のデータセットのファインビューの代表値を生成し、
−グラフィカルユーザーインターフェース内の第１のデータセットのファインビューと第２のデータセットのファインビューを置換するようにさせる。
【００１１】
提案されたソリューションは、ファインおよび粗い時間スケールで複数のデータセットを限定された次元のディスプレイ上で同時に対話的にレビューする問題を解決する。このため複数のデータセットのスタックが使用され、そこでスタックの最上のデータセットのみがファインビューの検査対象となる。ファインビューにおいて一度に１つのみのデータセットを対象にすることは、リビューワが通常、データセットに対して１つずつ順に集中するので有意義な制限である。
【００１２】
本発明をさらに理解するために、図面を参照して以下の記述をより詳しく説明する。本発明は、この例示的な実施形態に限定されず、および特定の特徴は、添付の特許請求の範囲において定義されるように、本発明の範囲から逸脱せずに便宜上の組み合わせおよび／または変更も行われ得ることを理解されたい。
【図面の簡単な説明】
【００１３】
【図１】単一のデータセットの対話型レビューに適したグラフィカルユーザーインターフェースを示す図である。
【図２】２つのセットのメタデータの対話型レビューに適したグラフィカルユーザーインターフェースを示す図である。
【図３】グラフィカルユーザーインターフェースが表示領域に収まらない場合、スクローリングの効果を示す図である。
【図４】本発明に従ってグラフィカルユーザーインターフェースの第１の実装を示す図である。
【図５】本発明に従ってグラフィカルユーザーインターフェースの第２の実装を示す図である。
【図６】本発明に従ってグラフィカルユーザーインターフェースの第３の実装を示す図である。
【図７】本発明に従ってグラフィカルユーザーインターフェースの第３の実装を示す図である。
【図８】本発明に従ってグラフィカルユーザーインターフェースの第３の実装を示す図である。
【図９】本発明に従ってグラフィカルユーザーインターフェースの第３の実装を示す図である。
【図１０】本発明に従った複数のデータセットの対話型レビューの方法を示す図である。
【図１１】図１０の方法を実装する装置を示す図である。
【発明を実施するための形態】
【００１４】
以下、フレームを含む画像シーケンスに対応するメタデータの対話型レビューを例に本発明を説明する。メタデータは、フレームごとに異なると仮定する。もちろん、本発明の使用は、この例に限定されない。一般的な手法も他の種類のデータセットに同様に適用可能である。
【００１５】
図１は、ディスプレイ２上の単一のメタデータセットの対話型レビューに使用されるグラフィカルユーザーインターフェース１の例示的な概略図である。画面レイアウトの下部において、全画像シーケンスのメタデータが粗いビュー３で示されていて、そこで水平ピクセルは、複数のフレームの情報を表す。粗いビュー３は、好適には、粗いビュー３で表示することができる値の最大数の値を決定し、対応する数のデータクラスタを生成し、各クラスターのそれぞれの値を決定し、そして決定された代表値のみを粗いビュー３で表示することによって生成される。各クラスターは、メタデータ要素の総数を、表示することができる値の数で割ることによって決定される複数の後続のメタデータ要素を含む。各クラスターの代表値は、例えば、ＭＡＸ関数またはＭＩＮ関数などの、所定の関数をそれぞれのクラスターのメタデータ要素に適用することによって決定される。
【００１６】
粗いビュー３の上側にメタデータセットのセクションを表すファインビュー４が示されていて、好適には、各単一フレームのメタデータを有する。このセクションは、有利には、粗いビュー３内のセクションウィンドウ６でハイライトされる。セクション間隔のサイズは、好適には、各フレームのメタデータが少なくとも１つの水平ピクセルによって表されるというやり方で設定される。典型的には、便宜上、２〜３のピクセルは、データの図形表現のスペーシングの際にまとめて使用される。表示されるメタデータに加え、有利には、メタデータと関連する現在のフレームのコンテンツがフレームウィンドウ５に表示される。ファインビュー４において、検査中の現在のフレームに対応するメタデータがファインビュー４の中央に示されており、好適には、前後のフレームに対応するメタデータの検査を簡易にするマーカー７によって特定される。この例におけるグラフィカルユーザーインターフェース１のレイアウトは、ディスプレイ２の使用可能な表示領域全体が使用されるように選択される。
【００１７】
対話型の振る舞いは、粗いビュー３またはファインビュー４をクリックし、例えば、タッチまたはポイントし、そして対応するフレームにジャンプすることによって実現される。このため、キーボード、マウスまたはタッチユーザーインターフェースを有する処理デバイス、例えば、汎用ＰＣまたは専用ハードウェアを使用して、動的表示を生成する。ターゲットフレームにジャンプした後、粗いビュー３内のセクションウィンドウ７、ファインビュー４に表示されたメタデータ、およびフレームウィンドウ５内のコンテンツビューがリフレッシュされる。
【００１８】
汎用のグラフィカルユーザーアプリケーション環境において、ウィンドウは、通常、ユーザーが動的にリサイズできる。これを例にすると、粗いビュー３は、新しい仮想画面の解像度に合わせるために上述したように再処理される。ファインビューのセクションウィンドウ４は、その後、再処理に応じて、例えば、表示されているデータの範囲を変更するか、または隣接データ値とデータ値の間隔(space)を表すのに使用されるピクセル数を変更することによって調整される。
【００１９】
複数のメタデータセットをレビューするために、同時または順々に、一定の表示をする有限の物理的次元および解像度に関するより多くの情報をユーザーに伝える必要がある。２セットのメタデータの対話型レビューに使用されるグラフィカルユーザーインターフェース１の例が図２に示されている。すでに図１に示されている要素に加え、このグラフィカルユーザーインターフェース１は、第２のメタデータセットの付加的な粗いビュー８および付加的なファインビュー９を有する。しかしながら、ディスプレイ２の使用可能な表示領域が制限されるため、粗いビュー３、８とファインビュー４、９とフレームウィンドウ５のサイズが縮小される。この処理は、２つのデータセットのレビューを許容できるにしても、レビューするためにさらに多くのデータセットが必要であれば、状況は悪化する。
【００２０】
この種の問題に対する最も一般的な手法となり得るのは、垂直、即ち、上下のスクローリングである。この手法は、単一の画面にコンテンツが収まらない、多くの種類の電子媒体文書（Ｔｅｘｔ、ＰＤＦ、ＨＴＭＬなど）に使用されている。しかしながら、スクローリングは、フレームウィンドウ５内のコンテンツビューが表示領域外、即ち、もはや可視ではないまたは一部のみが可視である領域までスクロールされるという問題を招くであろう。これは、図３に概略的に示されており、点線は、ディスプレイ２上で不可視である部分のグラフィカルユーザーインターフェース１を示している。
【００２１】
本発明に従って、上記の欠点は、単一のファインビュー４のみを複数の粗いビュー３、８に使用して克服される。図４は、この手法の第１の実装を示している。単一のファインビュー４は、２つの粗いビュー３、８の上側に配置されている。図において、ファインビュー４は、第１のメタデータセットの粗いビュー３に対応する値を示す。ユーザーが、例えば、第２のメタデータセットの粗いビュー８をクリックすることによって、第２のメタデータセットを選択すると、ファインビュー４は、第２のメタデータセットの粗いビュー８に対応する値に更新される。言い換えれば、メタデータの１セットのみ、または粗いビュー３、８の１つのみが「アクティブ」であり、従って、ファインビュー４で表示される。メタデータのどのセットが実際にアクティブであるかは、好適には、対応する粗いビュー３、８をハイライトすることによって、または説明文をファインビュー４に付加することによって表示される。図４においてフレームウィンドウ５内のコンテンツビューのサイズがさらに縮小されているが、少なくとも粗いビュー３、８およびファインビュー４のサイズを維持することができる。
【００２２】
提案された手法の第２の実装を図５に示す。この例において、メタデータの３つのセットがレビュー中である。このため３つの粗いビュー３、８、１０がグラフィカルユーザーインターフェース１に与えられている。しかしながら、そのうちの粗いビュー３のみがディスプレイ２上で可視である。３つの粗いビュー３、８、１０は、スクローリング専用領域１１に配置されている。ユーザーは、残りのグラフィカルユーザーインターフェースを変更せずに、即ち、ファインビュー４およびフレームウィンドウ５がそれらの位置をディスプレイ２上で維持しながら、３つの粗いビュー３、８、１０をスクロールできる。ユーザーが特定の粗いビュー３、８、１０を選択した時点で、その選択に応じてファインビュー４が更新される。すでに述べたように、選択は、好適には、所望の粗いビュー３、８、１０をクリックすることによって行われる。あるいは、選択は、ファインビュー４を、現在ディスプレイ２上で可視である粗いビュー３、８、１０のメタデータのセットに自動的に切り替えることによって行われる。図５に示すように、限定されたスペースのみが粗いビュー３、８、１０の表示に使用可能であり、１つの粗いビュー３、８、１０のみが一度に可視となる。
【００２３】
図６から図９までを参照してさらに別の実装について説明する。図６から分かるように、メタデータの３つのセットがレビュー中である。即ち、３つの粗いビュー３、８、１０が単一のファインビュー４の下側に与えられている。その結果、グラフィカルユーザーインターフェース１は、表示領域に収まらず、そして２つの粗いビュー８、１０は、実際にはディスプレイ２上に表示されていない。本実装において、ファインビュー４は、通常、粗いビューのスタックの最上の要素に対応する。他のメタデータセットをレビューするために、画面ウィンドウは、一定数の粗いビューまでまたは最後の粗いビューのプロット１０に到達するまで、例えば、キーを押すことによって、マウスのスクロールホイールの動きを用いて、スクロールバースライダーをドラッグして、フィンガースワイプを用いるなどによってスクロールダウンされる。スクローリングステップのサイズは、単一のピクセルによって、または粗いビューの高さによって実行され得る。スクローリングは、図７に示されており、そこでグラフィカルユーザーインターフェース１は、最後の粗いビュー１０までスクロールダウンされている。その結果、フレームウィンドウ５の一部は、もはや可視ではない。
【００２４】
ユーザーが例えば、マウスクリック、フィンガータッチなどによってディスプレイ２上で可視のメタデータのセットを選択した時点で、対応する粗いビュー３、８、１０は、粗いビューのスタックの最上に移動され、現在最上にある粗いビューと交代する。この結果、ファインビュー１２が更新されて、今では、新しい最上の粗いビューのメタデータセットに対応している。この交換は、図８に示されている。ユーザーは、第３の粗いビュー１０をクリックすることによって第３のメタデータセットを選択した。この第３の粗いビュー１０は、粗いビューのスタックの最上に移動され、一方、第１のメタデータセットの粗いビュー３は、第３の粗いビュー１０の以前に位置に移動される。ファインビュー１２は、対応する値に更新される。
【００２５】
データセットの数に依存して、フレームウィンドウ５ならびにファインビュー１２内のコンテンツビューが不可視または一部のみが可視である場合があるので、一般に、再度スクロールアップする必要があるであろう。これは、図９に示されている。もちろん、スクローリングは、ユーザーがメタデータセットを選択した時点で同様に自動的に開始される。
【００２６】
静的文書をスクロールすることとは異なり、粗いビュー３、８、１０の順序は、動的に変更され、そしてファインビュー４、９、１２は、それに応じて調整される。提案された実装は、従って、文書の通常概念を超える。さらに、グラフィカルユーザーインターフェース１は、フレームウィンドウ５内のコンテンツビュー、単一の粗いビュー３、８、１０およびそれに対応する可視であるファインビュー４、９、１２に対する上位部として、詳細なレビューを行う特別な目的を果たし、および他のあらゆる情報を隠蔽(hide)する。その重要性のため、ただスクロールアップすることによって最上まで容易に到達することができる。
【００２７】
２以上のデータセットの対話型レビューを行うための方法を図１０に概略的に示している。第１のステップにおいて、少なくとも第１のデータセットおよび第２のデータセットが読み出される２０。データセットが使用可能になった時点で、第１のデータセットから第１のデータセットの粗いビュー３の代表値が生成される２１。同様に、第２のデータセットから第２のデータセットの粗いビュー８の代表値が生成される２２。データセットの詳細なレビューを可能にするために、第１のデータセットのファインビュー４の代表値も第１のデータセットから生成される２３。第１のデータセットの粗いビュー３、第２のデータセットの粗いビュー８、および第１のデータセットのファインビュー４は、その後、グラフィカルユーザーインターフェース１内に含まれる２４。第２のデータセットを選択するユーザーリクエストの受信２５に応答して、第２のデータセットから第２のデータセットのファインビュー９の代表値が生成される２６。この第２のデータセットのファインビュー９は、グラフィカルユーザーインターフェース１内の第１のデータセットのファインビュー４と置換する。
【００２８】
図１０の方法を実装するように構成された装置３０が図１１に概略的に示されている。装置３０は入力２１を有し、例えば、ローカルストレージまたはネットワークソースから読み出される、少なくとも第１のデータセットおよび第２のデータセットを読み出す２０。プロセッサー３３は、第１のデータセットから第１のデータセットの粗いビュー３の代表値および第１のデータセットのファインビュー４の代表値を生成する２１、２３。プロセッサー３３は、第２のデータセットから第２のデータセットの粗いビュー８の代表値も生成する２２。これらの値は、グラフィカルユーザーインターフェース１内の第１のデータセットの粗いビュー３、第２のデータセットの粗いビュー８、および第１のデータセットのファインビュー４を含む、ユーザーインターフェースジェネレーター３４に提供される。グラフィカルユーザーインターフェース１は、装置３０の一部を形成するディスプレイ３５に出力されるか、または専用出力装置３６を経由して外部ディスプレイ３７に出力されるいずれかである。いずれの場合も、有利には、ディスプレイ３５、３７は、装置３０のタッチユーザーインターフェースとして機能する。ユーザー入力装置３２経由で第２のデータセットを選択するユーザーリクエストを受信した２５時点で、プロセッサー３３は、第２のデータセットから第２のデータセットのファインビュー９の代表値を生成する２６。ユーザーインターフェースジェネレーター３４は、その後、グラフィカルユーザーインターフェース１内の第１のデータセットのファインビュー４を第２のデータセットのファインビュー９と置換する。もちろん、装置３０のさまざまなユニットを同様に組み合わせ、または単一のユニットに部分的に組み合わせ、またはプロセッサー上で稼動するソフトウェアとして実装できる。
【００２９】
本発明は、特定の実施形態を参照してこれまで説明されてきたが、本発明は、これらの実施形態に限定されず、特許請求される本発明の範囲内においてさらなる代替形態が当業者に想起されることは疑う余地がない。
【図１】
2015018542.tif 000003
【図２】
2015018542.tif 000004
【図３】
2015018542.tif 000005
【図４】
2015018542.tif 000006
【図５】
2015018542.tif 000007
【図６】
2015018542.tif 000008
【図７】
2015018542.tif 000009
【図８】
2015018542.tif 000010
【図９】
2015018542.tif 000011
【図１０】
2015018542.tif 000012
【図１１】
2015018542.tif 000013
【外国語明細書】
2015018542000001.pdf